(57)【要約】【課題】  システム天井にケーブルを分散して配線できる機能を複合する。従来のシステム天井にケーブル配線が容易であるという特徴をもたせる。【解決手段】  格子状に組まれた複数の天井部材１ａと、一方に躯体に固定される固定部材２０が設けられ、他方に前記複数の天井部材の少なくとも一部に嵌合する吊り金具２１が設けられて前記複数の天井部材を保持する支持部と、を備えるシステム天井において、天井部材１ａの断面を溝状とし、その両側上端を鋭角に折り返して折り返し部を形成し、吊り金具２１の形状を逆Ｔ字型とし、逆Ｔ字の両端からそれぞれ上側に延びる延長部を設け、その端部を鋭角とし、当該端部で前記天井部材の折り返し部に嵌合可能に構成する。さらに、吊り金具の中央部分と延長部の間に切欠溝を設けた。天井部材の溝状の部分にケーブルを収納するとともに、吊り金具の切欠溝にケーブルＣを通した。【選択図】              図８
2005325620.tif 000002
【特許請求の範囲】
【請求項１】
格子状に組まれた棒状の複数の天井部材と、一方に躯体に固定される固定部材が設けられ、他方に前記複数の天井部材の少なくとも一部に嵌合する吊り金具が設けられて前記複数の天井部材を保持する支持部と、を備えるシステム天井において、
前記天井部材の断面を溝状とし、その両側上端を鋭角に折り返して折り返し部を形成し、
前記吊り金具の形状を逆Ｔ字型とし、逆Ｔ字の両端からそれぞれ上側に延びる延長部を設け、その端部を鋭角とし、当該端部で前記天井部材の折り返し部に嵌合可能に構成するとともに、前記吊り金具の中央部分と前記延長部の間に切欠溝を設け、
前記天井部材の溝状の部分にケーブルを収納するとともに、前記吊り金具の切欠溝にケーブルを通したことを特徴とするシステム天井。
【請求項２】
前記天井部材の断面をＨ字型とし、上側の部分にケーブルを収納し、下側の部分に照明を含む機器を収納し、前記天井部材の上側と下側を分ける部分に開口部を設け、前記開口部を通してケーブルを前記機器に導くことを特徴とする請求項１記載のシステム天井。
【請求項３】
前記天井部材の交差部に断面十字状の柱を設け、前記交差部に設けた開口部を通してケーブルを前記柱に導き、前記柱に沿ってケーブルを敷設したことを特徴とする請求項１記載のシステム天井。
【発明の詳細な説明】
【技術分野】
【０００１】
この発明は、システム天井に関し、特にケーブルを容易に敷設できるようにしたシステム天井に関する。
【背景技術】
【０００２】
通常の「在来天井」は岩面板に照明器具、空調アネモ等が埋め込まれているタイプである。岩面板とは凹凸の不燃ボードであり、近年では燃えない、捨てられないということで地球環境的に問題になっている。
【０００３】
近年のビルに見られる通称「システム天井」は平行アルミバーにスリットの吸い込み口などを設けるとともに、平行アルミバー間に照明器具、空調等を設けたタイプである。
【０００４】
最近、６００角の天井パネル（アルミ製）をならべ、そのパネルの一部に必要な器具類を埋め込んだタイプも現れている。
【０００５】
「在来天井」から「システム天井」への発展の過程には、天井下にスチールパーテーション間仕切り（天井板に穴があく）をたてたときに天井設備の移設を少なくすること（モジュール化）や、穴があいて廃棄するしかない天井材を減らすという目的があった。
【発明の開示】
【発明が解決しようとする課題】
【０００６】
ところで、既存の天井裏の配線方法は、電設用のケーブルラックを吊って配線する、というものであった。システム天井になっても配線方法は従来と代わり映えしなかった。配線方法はシステム天井と別業者が担当し、システム天井とはまったく無関係に施工されるものであった。
【０００７】
近年、ＯＡ化が進みオフィスには多数のパソコン等の電子機器が設置されるようになった。これに伴い、電源ケーブルやＬＡＮケーブルなどを多数敷設する必要が生じ、そのケーブル量は膨大になっている。従来のシステム天井はケーブルの敷設について配慮がなされていなかったのでその施工後に様々な問題が生じた。例えば、システム天井に点検口がないと配線できない、ケーブルラックを吊るためには天井板を壊さなくてはならなかった。
【０００８】
本発明は係る課題を解決するためになされたもので、システム天井自体にケーブル収納機能をもたせることによりケーブルを容易に敷設できるシステム天井を提供することを目的とする。ケーブルを任意の経路で敷設できるとともに、所望の個所に柱を立ててケーブルを床に下ろすこともできるようになった。本システム天井の天井板を容易に取り外し可能にできるので点検口は不要になった。
【課題を解決するための手段】
【０００９】
上記課題を解決するために、本発明は、格子状に組まれた棒状の複数の天井部材と、一方に躯体に固定される固定部材が設けられ、他方に前記複数の天井部材の少なくとも一部に嵌合する吊り金具が設けられて前記複数の天井部材を保持する支持部と、を備えるシステム天井において、
前記天井部材の断面を溝状とし、その両側上端を鋭角に折り返して折り返し部を形成し、
前記吊り金具の形状を逆Ｔ字型とし、逆Ｔ字の両端からそれぞれ上側に延びる延長部を設け、その端部を鋭角とし、当該端部で前記天井部材の折り返し部に嵌合可能に構成するとともに、前記吊り金具の中央部分と前記延長部の間に切欠溝を設けた。
したがって、前記天井部材の溝状の部分にケーブルを収納するとともに、前記吊り金具の切欠溝にケーブルを通すことが可能になり、格子状の天井部材の任意の経路でケーブルを敷設することができるようになった。システム天井と別にケーブルラックを設ける必要がなくなった。
【００１０】
好ましくは、前記天井部材の断面をＨ字型とし、上側の部分にケーブルを収納し、下側の部分に照明を含む機器を収納し、前記天井部材の上側と下側を分ける部分に開口部を設ける。前記開口部を通してケーブルを前記機器に導くことができる。
【００１１】
好ましくは、前記天井部材の交差部に断面十字状の柱を設け、前記交差部に設けた開口部を通してケーブルを前記柱に導き、前記柱に沿ってケーブルを敷設する。前記柱を通してケーブルを床や机の位置まで下ろすことができる。床下に配線を敷設する必要がなくなった。
【発明の効果】
【００１２】
本発明によれば、天井部材の溝状の部分にケーブルを収納するとともに、吊り金具の切欠溝にケーブルを通すことができるようにしたので、システム天井自体にケーブル収納機能をもたせ、その結果ケーブルを容易に敷設できるようになった。
【発明を実施するための最良の形態】
【００１３】
この発明の実施の形態について図面を参照して説明する。
図１は本発明の実施の形態に係るシステム天井の全体構成を示す斜視図である。
図２はシステム天井の部分断面図で、第１天井チャンネル１ａを側面から見た図を示す。
図３はシステム天井の部分断面図で、第２天井チャンネル１ｂを側面から見た図を示す。
【００１４】
複数の第１天井チャンネル１ａと複数の第２天井チャンネル１ｂとが互いに直角に交差して組まれており、天井チャンネル１ａ，１ｂは格子状になっている。第１天井チャンネル１ａには複数のチャンネル支持部２が取り付けられている。各チャンネル支持部２を構成する吊りボルト２０の一端（図では当該端の表示を省略している）は建物の躯体にしっかりと固定されている。チャンネル支持部２を構成するチャンネル吊り金具２１は第１天井チャンネル１ａに取り付けられ、これにより第１天井チャンネル１ａ及び第２天井チャンネル１ｂを保持している。同時に、チャンネル支持部２は、梯子状ケーブルラック１ｃ、これらに取り付けられる蛍光灯やスポットランプ等の照明Ｌ、プロジェクタＰ、複数の第１天井チャンネル１ａと複数の第２天井チャンネル１ｂで構成される格子部分に取り付けられ、格子状の空間を塞ぎ従来の天井のように見せるためのパンチングダブルスキン３ａ，パンチングシングルスキン３ｂ、ガラスクロス３ｃ、第１天井チャンネル１ａと第２天井チャンネル１ｂの交差部に設けられるピラー（柱）４、及び、ピラー４に取り付けられる液晶ディスプレイ、プラズマディスプレイ等の表示装置Ｄの重量も支える。ピラー４には電源コンセントＪやＩＯポート（ＬＡＮコネクタ）Ｊなどが設けられる。
【００１５】
図１に示される点線は、電源線やＬＡＮなどの信号線などのケーブルＣである。同図からわかるように、ケーブルＣは第１天井チャンネル１ａ、第２天井チャンネル１ｂ、梯子状ケーブルラック１ｃ及びピラー４内に収納されるので、ケーブルＣが外部に露出することはない。第１天井チャンネル１ａ等は多数のケーブルＣを収納でき、しかもチャンネル支持部２の取り付け部においても多数のケーブルＣを通すことができる構造をもっているため、電源線とともに多数のＬＡＮケーブル等を収納することができるようになった。そのため従来のシステム天井で問題となった、システム天井の設置後の配線工事を容易にするとともに、ケーブルを外部に露出することなくすっきりとした外観を提供することができるようになった。
【００１６】
図４は壁際に天井チャンネルを廻して吊る場合の説明図である。壁Ｗに沿って第１天井チャンネル１ａを配置し、これに設けられている突出部１０１に第２天井チャンネル１ｂの端部を嵌め合わせることにより結合する。第１天井チャンネル１ａはチャンネル支持部２により保持される。突出部１０１の形状は第２天井チャンネル１ｂの内径に合わせてあり、突出部１０１の両側の上端に第２天井チャンネル１ｂの両側上端の折り返し部が嵌合する。
【００１７】
図５は壁際に天井チャンネルを廻してアングルピースで壁に固定する場合の説明図である。壁Ｗに沿って第２天井チャンネル１ｂを配置し、これに設けられている突出部１０４に第１天井チャンネルの端部を嵌め合わせることにより結合する。直角に曲げられたアングルピース１０２の一面はビス１０３ａにより壁Ｗに固定されるとともに、他面はビス１０３ｂにより第２天井チャンネル１ｂに取り付けられる。突出部１０４の形状は第１天井チャンネル１ａの内径に合わせてあり、突出部１０４の両側の上端に第１天井チャンネル１ａの両側上端の折り返し部が嵌合する。
【００１８】
図６は壁に第１天井チャンネル１ａをぶつけてアングルピースで壁に固定する場合の説明図である。直角に曲げられたアングルピース１０５の一面はビス１０６ａにより壁Ｗに固定されるとともに、他面はビス１０６ｂにより第１天井チャンネル１ａに取り付けられる。第１天井チャンネル１ａはチャンネル支持部２とアングルピース１０５により保持される。
【００１９】
図７（ａ）はチャンネル保持部２の斜視図を示す。チャンネル保持部２は、吊りボルト２０と、チャンネル吊り金具２１とを備える。説明の便宜上、同図の吊りボルト２０は実際より短いものを示している。吊りボルト２０の上端は建物の躯体にしっかりと固定され、下端はナットでチャンネル吊り金具２１にしっかりと固定される。
【００２０】
図７（ｂ）はチャンネル吊り金具２１の正面図である。チャンネル吊り金具２１は逆Ｔ字型をしている。その幅ａ及び高さｂは第１天井チャンネル１ａの内径に合わせてあり、チャンネル吊り金具２１の端２１ｂ、２１ｂが第１天井チャンネル１ａの両側上端の折り返し部が嵌合することにより、第１天井チャンネル１ａが保持される。チャンネル吊り金具２１の下部（幅ａのＴ字の横棒部分）の両側から高さｂの端２１ｂ、２１ｂが延びているが、その先端は鋭角をなしている。同時に、端２１ｂ、２１ｂが突出することにより、チャンネル吊り金具２１の端２１ｂ、２１ｂとチャンネル吊り金具２１の本体部（Ｔ字の縦棒部分）の間にはケーブルＣを通すための切欠溝Ａが設けられる。切欠溝ＡによりケーブルＣがチャンネル支持部２ではみ出すことなく第１天井チャンネル１ａ内に収納される。切欠溝Ａの高さｃはケーブルＣを収容できる程度の大きさに設定される。
【００２１】
図７（ｃ）は第１天井チャンネル１ａの断面図である。なお、第２天井チャンネル１ｂの断面を同様の形状としてもよい。第１天井チャンネル１ｂの断面はＨ字型をしている。Ｈ字上側の部分はケーブルＣを通す溝状の部分である。当該部分は、チャンネル吊り金具２１の端２１ｂ、２１ｂと嵌合するために両側上端が鋭角に折り返された折り返し部１ａ−ｂ，１ａ−ｂを備える。Ｈ字下側の部分は、照明ＬやプロジェクタＰを取り付ける部分である。当該部分の両側下端は直角に曲げられていて、当該部分１ａ−ａ，１ａ−ａを用いてプロジェクタＰなどの吊り下げ金物５（図８参照）や化粧板を取り付けることができる。Ｈ字上側と下側を区切る板（Ｈ字の横棒部分）には図示しない開口部が設けられ、ここを通ってケーブルＣの一部が照明ＬやプロジェクタＰに導かれている。
【００２２】
図８は第１天井チャンネル１ａにチャンネル支持部２を取り付けた状態を示す断面図である。なお、第２天井チャンネル１ｂについても同様である。第１天井チャンネル１ａ断面のＨ字上側の切欠溝Ａには多数のケーブルＣが収納されている。同Ｈ字下側には照明Ｌが取り付けられている。照明Ｌに代えて吊り下げ金物５を取り付けることもできる。図８はケーブルラック１ｃと、天井板としてパンチングダブルスキン３ａ又はパンチングシングルスキン３ｂを取り付けた状態を示す。ケーブルラック１ｃ、天井板３ａ，３ｂの端が折り曲げられていて、この部分が第１天井チャンネルの折り返し部１ａ−ｂに外側から嵌合することにより、天井板３ａ，３ｂは第１天井チャンネルにより保持される。
【００２３】
図９は、図８と同様の断面図を示すが、図９では天井板としてガラスクロス３ｃを取り付けた状態を示す。
【００２４】
図１０はピラー４の取り付け状態の断面図、図１１は同上面図である。ピラー４は第１天井チャンネル１ａと第２天井チャンネル１ｂの交差部に設けられる。当該交差部に設けられた取り付け穴を介してボルト６でピラー４を取り付ける。図１１に示すように、ピラー４は断面十字形状の柱であり、その外側にピラーカバー４１を設けることもできる。前記交差部には開口部Ｂが設けられていて、この部分を通してケーブルＣを通すことができる。図１０に示すように、第１天井チャンネル１ａ又は第２天井チャンネル１ｂを通したケーブルＣを開口部Ｂからピラー４に下ろす。さらに断面十字形状のピラー４の２つの面の間をケーブルＣを通し、ピラー４に設けられた電源コンセントＪやＩＯポートＪに導く。
【００２５】
以上の構成により、本発明の実施の形態に係るシステム天井によれば、なんら追加工事を必要とすることなくケーブルを敷設することができる。本システム天井によれば、システム天井の設置とケーブルの敷設を同時に行うことができ、非常に効率的かつ経済的である。しかも、ケーブルの変更・追加・取り外しを容易に行えるとともに、ケーブルは本システム天井の各構造体内に収納されケーブルＣが外部に露出することはないので美観上優れている。本システム天井の各構造体は多数のケーブルを通すことができるように設計されているので、電源線とともに多数のＬＡＮケーブル等を収納することができるようになった。そのため従来のシステム天井で問題となった、システム天井の設置後の配線工事を容易にするとともに、ケーブルを外部に露出することなくすっきりとした外観を提供することができるようになったのである。
【００２６】
本発明の実施の形態によれば、システム天井の機構及び機能に膨大な体積及び重量のケーブルを分散して配線できる機能を複合することにより、従来のシステム天井にケーブル配線が容易であるという新しい機能を加えたものである。
【００２７】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００２８】
【図１】本発明の実施の形態に係るシステム天井の全体構成を示す斜視図である。
【図２】システム天井の部分断面図（第１天井チャンネルを側面から見た図）である。
【図３】システム天井の部分断面図（第２天井チャンネルを側面から見た図）である。
【図４】壁際に天井チャンネルを廻して吊る場合の説明図である。
【図５】壁際に天井チャンネルを廻してアングルピースで壁に固定する場合の説明図である。
【図６】壁に第１天井チャンネルをぶつけてアングルピースで壁に固定する場合の説明図である。
【図７】図７（ａ）はチャンネル保持部の斜視図である。図７（ｂ）はチャンネル吊り金具の正面図である。図７（ｃ）は第１天井チャンネルの断面図である。
【図８】第１天井チャンネルにチャンネル支持部を取り付けた状態を示す断面図である。
【図９】は第１天井チャンネルにチャンネル支持部を取り付けた他の状態を示す断面図である。
【図１０】ピラーの取り付け状態の断面図である。
【図１１】ピラーの取り付け状態の上面図である。
【符号の説明】
【００２９】
１ａ    第１天井チャンネル（天井部材）
１ｂ    第２天井チャンネル（天井部材）
１ｃ    梯子状ケーブルラック
２    チャンネル支持部
２０  吊りボルト（固定部材）
２１  チャンネル吊り金具
３ａ  パンチングダブルスキン
３ｂ  パンチングシングルスキン
３ｃ  ガラスクロス
４    ピラー
４１  ピラーカバー
５    吊り下げ金物
６    ピラー取り付けボルト
１００  取り付け穴
１０１  第２天井チャンネルを取り付けるための第１天井チャンネルの突出部
１０２  アングルピース
１０３ａ  アングルピースを壁に取り付けるためのビス
１０３ｂ  アングルピースを第２天井チャンネルに取り付けるためのビス
１０４  第１天井チャンネルを取り付けるための第１天井チャンネルの突出部
１０５  アングルピース
１０６ａ  アングルピースを壁に取り付けるためのビス
１０６ｂ  アングルピースを第２天井チャンネルに取り付けるためのビス
Ａ    切欠溝
Ｂ    開口部
Ｃ    ケーブル
Ｄ    液晶ディスプレイ、プラズマディスプレイ
Ｊ    電源コンセント、ＩＯポート
Ｌ    照明（蛍光灯、スポットランプ）
Ｐ    プロジェクタ
Ｗ    壁
【図１】
2005325620.tif 000003
【図２】
2005325620.tif 000004
【図３】
2005325620.tif 000005
【図４】
2005325620.tif 000006
【図５】
2005325620.tif 000007
【図６】
2005325620.tif 000008
【図７】
2005325620.tif 000009
【図８】
2005325620.tif 000010
【図９】
2005325620.tif 000011
【図１０】
2005325620.tif 000012
【図１１】
2005325620.tif 000013